(57)【特許請求の範囲】
【請求項１】
ゴルフクラブヘッドのフェース面に打撃を付与して振動を与えた際の前記フェース面の応答信号を測定し、この応答信号の有する所定の周波数範囲に位置する１次共振周波数の値を求める測定装置を用いて、前記ゴルフクラブヘッドの寿命を定量的に予測する寿命予測方法であって、
予め、所定のゴルフクラブと同一商品型式のゴルフクラブについて求められた、打撃回数に対する前記所定の周波数範囲に位置する１次共振周波数の履歴特性を前記測定装置に保持しておく保持工程と、
前記所定のゴルフクラブのフェース面に付与された累積打撃回数が１０回以下の初期状態である時に、当該所定のゴルフクラブヘッドのフェース面に打撃による振動を与えた際の前記フェース面の応答信号を前記測定装置により測定する第１の測定工程と、
この第１の測定工程で測定された前記フェース面の応答信号の有する、前記所定の周波数範囲に位置する前記初期状態の１次共振周波数の値を前記測定装置により求め、前記測定装置により求められた前記初期状態の１次共振周波数の値を基準値として予め特定しておく基準値特定工程と、
前記所定のゴルフクラブヘッドの使用を開始してから所定期間経過後、前記所定のゴルフクラブヘッドのフェース面に打撃による振動を与えた際の前記フェース面の応答信号を前記測定装置により測定する第２の測定工程と、
この第２の測定工程で測定された前記フェース面の応答信号の有する、前記所定の周波数範囲に位置する前記所定期間経過後の１次共振周波数の値を前記測定装置により求め、前記測定装置により求められた前記所定期間経過後の１次共振周波数の値の前記基準値に対する比率を用いて、前記１次共振周波数の履歴特性から前記所定のゴルフクラブヘッドの破壊の発生の時期を、前記所定のゴルフクラブヘッドの寿命として前記フェース面に付与する打撃回数によって定量的に予測する予測工程とを有することを特徴とするゴルフクラブヘッドの寿命予測方法。
【請求項２】
前記保持工程は、さらに、
前記同一商品型式のゴルフクラブヘッドのフェース面に打撃による振動を与えた際の前記フェース面の応答信号を前記測定装置により測定する第３の測定工程と、
この第３の測定工程で測定された前記フェース面の応答信号の有する、前記所定の周波数範囲に位置する１次共振周波数の値を前記測定装置により求める計測工程とを含み、
前記第３の測定工程と前記計測工程とを、１回の打撃のたびに、または複数回の打撃のたびに繰り返し、予め、前記打撃回数に対する前記所定の周波数範囲に位置する前記１次共振周波数の履歴特性を求める工程である請求項１に記載のゴルフクラブヘッドの寿命予測方法。
【請求項３】
前記１次共振周波数は、２０００Ｈｚ〜７０００Ｈｚの周波数範囲に位置する請求項１または２に記載のゴルフクラブヘッドの寿命予測方法。
【請求項４】
前記予測工程は、さらに、前記比率が９５％未満の場合、前記所定のゴルフクラブヘッドに欠陥が発生しているものと評価する請求項１〜３のいずれか１項に記載のゴルフクラブヘッドの寿命予測方法。
【請求項５】
前記応答信号は、前記フェース面に振動を与えた際の前記フェース面の打撃音の音圧信号である請求項１〜４のいずれか１項に記載のゴルフクラブヘッドの寿命予測方法。
【請求項６】
前記同一商品型式のゴルフクラブの前記１次共振周波数の履歴特性は、前記同一商品型式のゴルフクラブヘッドの剛性が低下しているが亀裂がない状態にある領域、前記同一商品型式のゴルフクラブヘッドの前記フェース面の裏面に目視では見出できない亀裂が発生し前記同一商品型式のゴルフクラブヘッドのフェース面に向かって進展している状態にある領域、および前記亀裂が同一商品型式のゴルフクラブヘッドの前記フェース面にまで達している状態にある領域の３つの領域を有する請求項１〜５のいずれか１項に記載のゴルフクラブヘッドの寿命予測方法。
【発明の詳細な説明】
【０００１】
【発明の属する技術分野】
本発明は、金属製または合金製の中空のゴルフクラブヘッドの評価方法に関し、特に、打撃回数に伴うゴルフクラブの耐久性の劣化を評価するゴルフクラブヘッドの評価方法に関する。
【０００２】
【従来の技術】
近年、ゴルフクラブでゴルフボールをより遠くに飛ばすことのできる種々のゴルフクラブヘッドが提供されている。
例えば、ゴルフクラブヘッドのフェース面にチタン合金等の特殊な材料を用いたり、フェース面を有する部材の肉厚を薄くしてゴルフクラブヘッドのフェース面の反発係数を向上させている。さらに、ゴルフクラブヘッドのフェース面の肉厚を薄肉化するとともに、フェース面と接合される部分を薄肉化する極限設計が行われつつある。
このようなゴルフクラブヘッドを備えるゴルフクラブは、特にゴルフボールを遠くに飛ばして飛距離をかせぎ、さらにはスコアアップにつながるため、ゴルフ競技者にとって重要な道具となっている。
【０００３】
このようにゴルフボールの飛距離を稼ぐゴルフクラブヘッドは、上述したようにフェース面を有する部材を薄肉化する方向にあるため、ゴルフボールを打った際にゴルフクラブヘッドが前触れもなくいきなり全体が破壊することがないように、ゴルフクラブヘッドの耐久性を厳しく評価することが重要となっている。
【０００４】
一方、ゴルフクラブヘッドの破壊に関する耐久性の評価は、一般に、エアキャノンを用いてゴルフクラブヘッドのフェース面に向けて打撃を与えるか、あるいは試打ロボットまたはゴルファによるゴルフボールの試打等を行って、ゴルフクラブヘッドのフェース面に繰り返し打撃を与え、所定回数の打撃の後に、ゴルフクラブヘッドの亀裂または損傷の程度を目視によって確認する方法がとられている。
【０００５】
【発明が解決しようとする課題】
しかしながら、従来のゴルフクラブヘッドの耐久性の評価では、ゴルフクラブヘッドの亀裂または損傷の程度を目視により行っているため、表面に発生する大きな亀裂または損傷によってしか破壊の状態を確認できない。目視によって破壊の確認されたゴルフクラブヘッドはゴルフボールを打つことによっていきなり全体が破壊する可能性が極めて高い状態にある。すなわち、目視によって破壊を確認できたゴルフクラブヘッドはすでに寿命を全うしたものである。このようなゴルフクラブヘッドしか確認できない従来の耐久性の評価ではゴルフクラブヘッドの耐久性を厳しく評価することはできないといった問題がある。
【０００６】
さらに、従来の評価方法では、亀裂の発生および亀裂の進展などの破壊の過程を調べることはできないため、ゴルフクラブヘッドの開発にとって、耐久性を確保しつつ反発係数を向上させた極限設計を進めていく上で大きな障害となっている。
また、フェース面の肉厚をぎりぎりまで薄くして極限設計されたものについては、現在のゴルフクラブヘッドの寿命がどの位あるか、定量的に予測することも必要である。
【０００７】
本発明はかかる問題に鑑みてなされたものであり、ゴルフクラブヘッドの亀裂および損傷等の破壊の発生を非破壊で評価し、さらに、ゴルフクラブヘッドの亀裂または損傷を目視により確認できる時点よりも前に、亀裂または損傷の発生の有無を把握して耐久性を評価することができるゴルフクラブヘッドの評価方法を提供することを目的とする。
【０００８】
【課題を解決するための手段】
前記目的を達成するために、本発明の態様は、ゴルフクラブヘッドのフェース面に打撃を付与して振動を与えた際の前記フェース面の応答信号を測定し、この応答信号の有する所定の周波数範囲に位置する１次共振周波数の値を求める測定装置を用いて、前記ゴルフクラブヘッドの寿命を定量的に予測する寿命予測方法であって、予め、所定のゴルフクラブと同一商品型式のゴルフクラブについて求められた、打撃回数に対する前記所定の周波数範囲に位置する１次共振周波数の履歴特性を前記測定装置に保持しておく保持工程と、前記所定のゴルフクラブのフェース面に付与された累積打撃回数が１０回以下の初期状態である時に、当該所定のゴルフクラブヘッドのフェース面に打撃による振動を与えた際の前記フェース面の応答信号を前記測定装置により測定する第１の測定工程と、この第１の測定工程で測定された前記フェース面の応答信号の有する、前記所定の周波数範囲に位置する前記初期状態の１次共振周波数の値を前記測定装置により求め、前記測定装置により求められた前記初期状態の１次共振周波数の値を基準値として予め特定しておく基準値特定工程と、前記所定のゴルフクラブヘッドの使用を開始してから所定期間経過後、前記所定のゴルフクラブヘッドのフェース面に打撃による振動を与えた際の前記フェース面の応答信号を前記測定装置により測定する第２の測定工程と、この第２の測定工程で測定された前記フェース面の応答信号の有する、前記所定の周波数範囲に位置する前記所定期間経過後の１次共振周波数の値を前記測定装置により求め、前記測定装置により求められた前記所定期間経過後の１次共振周波数の値の前記基準値に対する比率を用いて、前記１次共振周波数の履歴特性から前記所定のゴルフクラブヘッドの破壊の発生の時期を、前記所定のゴルフクラブヘッドの寿命として前記フェース面に付与する打撃回数によって定量的に予測する予測工程とを有することを特徴とするゴルフクラブヘッドの寿命予測方法を提供することにある。
【０００９】
本発明において、初期状態にあるゴルフクラブヘッドとは、ゴルフクラブヘッドの作製時点からのゴルフボールによる打撃、またはこれと同等の打撃がフェース面に付与された累積打撃回数が１０回以下のものをいう。
【００１０】
本発明においては、前記保持工程は、さらに、前記同一商品型式のゴルフクラブヘッドのフェース面に打撃による振動を与えた際の前記フェース面の応答信号を前記測定装置により測定する第３の測定工程と、この第３の測定工程で測定された前記フェース面の応答信号の有する、前記所定の周波数範囲に位置する１次共振周波数の値を前記測定装置により求める計測工程とを含み、前記第３の測定工程と前記計測工程とを、１回の打撃のたびに、または複数回の打撃のたびに繰り返し、予め、前記打撃回数に対する前記所定の周波数範囲に位置する前記１次共振周波数の履歴特性を求める工程であることが好ましい。
また、本発明においては、前記１次共振周波数は、２０００Ｈｚ〜７０００Ｈｚの周波数範囲に位置することが好ましい。
【００１１】
さらに、本発明においては、例えば、前記予測工程は、さらに、前記比率が９５％未満の場合、前記所定のゴルフクラブヘッドに欠陥が発生しているものと評価する。この場合、前記応答信号は、前記フェース面に振動を与えた際の前記フェース面の打撃音の音圧信号であることが好ましい。
また、本発明においては、前記同一商品型式のゴルフクラブの前記１次共振周波数の履歴特性は、前記同一商品型式のゴルフクラブヘッドの剛性が低下しているが亀裂がない状態にある領域、前記同一商品型式のゴルフクラブヘッドの前記フェース面の裏面に目視では見出できない亀裂が発生し前記同一商品型式のゴルフクラブヘッドのフェース面に向かって進展している状態にある領域、および前記亀裂が同一商品型式のゴルフクラブヘッドの前記フェース面にまで達している状態にある領域の３つの領域を有することが好ましい。
【００１２】
【発明の実施の形態】
以下、本発明に係るゴルフクラブヘッドの評価方法について、添付の図面に示される好適実施例を基に詳細に説明する。図１は本発明の実施例に係るゴルフクラブヘッドの評価方法に用いられる測定装置を示す模式図である。
【００１３】
図１に示すように、測定装置１００においては、ゴルフクラブヘッド１のフェース面１０に対向する位置にマイクロフォン３が配置され、このマイクロフォン３に騒音計４が接続されている。この騒音計４はＡ／Ｄコンバータ５を介してパーソナルコンピュータ６（以下、パソコンという）と接続されている。
【００１４】
Ａ／Ｄコンバータ５は、騒音計４から出力された音圧信号をデジタル信号に変換してパソコン６に送信する装置である。パソコン６は、デジタル化された音圧信号を周波数解析し、ゴルフクラブヘッド１のフェース面１０の１次共振周波数を求めるための分析機器である。パソコン６において、公知の周波数分析により１次共振周波数が求められる。すなわち、フェース面１０に振動を与えた際の音圧信号である応答信号を測定し、この応答信号から１次共振周波数が求められる。
【００１５】
次に、１次共振周波数の測定方法について説明する。
打撃回数が不明の状態にある現在使用中のゴルフクラブ１１を用意する。このゴルフクラブは、ブランド名、商品型式、またはゴルフクラブの番手、ドライバーもしくはスプーン等の種類を少なくとも識別できるものとする。
マイクロフォン３の近傍に、ゴルフクラブ１１のゴルフクラブヘッド１のホーゼル部を宙づりにするか、または軽く支持した状態でゴルフクラブ１１を配置する。
【００１６】
この後、ゴルフクラブヘッド１のフェース面１０（打撃面）をハンマ２で加振してフェース面１０を振動させ、加振時の打撃音をマイクロフォン３を介して騒音計４で測定する。この騒音計４で測定された打撃音をＡ／Ｄコンバータ５を介してパソコン６に取り込み、公知の手法、例えばＦＦＴ（Fast Fourier Transformation)等を用いて１次共振周波数を求める。
【００１７】
１次共振周波数を求める際、パソコン６では、例えば２０００Ｈｚ〜７０００Ｈｚの狭帯域で周波数分析が行われる。２０００Ｈｚ〜７０００Ｈｚの帯域に複数のピークが発生するが、予めゴルフクラブ１１のブランド別、商品別、またはゴルフクラブの番手、ドライバーもしくはスプーン等の種類別に１次共振周波数の発生帯域を、例えば３２００〜５２００Ｈｚのように定めておいて、音圧信号の周波数波形から、１次共振周波数を特定する。
【００１８】
一方、パソコン６は、ゴルフクラブ１１の識別されたブランド名、商品型式、またはゴルフクラブの番手、ドライバーもしくはスプーン等の種類を参照して参照テーブルから基準値を呼び出す。この基準値については後述する。
パソコン６は、呼び出された基準値と特定された１次共振周波数の値とを用いて、１次共振周波数の基準値に対する比率を求め、この比率が９５％未満の場合、少なくとも打撃後のゴルフクラブヘッド１には亀裂あるいは損傷等の欠陥が発生した状態にあると評価する。
【００１９】
ここで基準値とは、製造してゴルフクラブヘッドのフェース面に打撃が与えられていない新品時のゴルフクラブヘッド、またはゴルフボールの試打による打撃もしくはこれに相当する打撃の累積打撃回数が１０回以下であるゴルフクラブヘッドを有するゴルフクラブについて、上述した測定装置で同様の測定を行って１次共振周波数を測定した、いわゆるゴルフクラブヘッドの初期状態の１次共振周波数の値である。
基準値は、初期状態にあるゴルフクラブヘッドのフェース面の１次共振周波数を上記測定方法で測定するものに限定されず、パソコン６に、このような基準値をブランド別、商品型式別、またはゴルフクラブの番手、ドライバーもしくはスプーン等の種類別に区分けして持つ参照テーブルを備え、この参照テーブルを参照して特定することもできる。なお、所定期間経過後、ゴルフクラブヘッドの１次共振周波数を随時計測して追跡調査を行ってもよい。
【００２０】
このようにしてゴルフクラブヘッドの耐久性を評価することができるのは、以下に示すような知見を本願発明者等が見出したからである。
図２は、横軸に打撃回数をとり、縦軸に１次共振周波数をとって１次共振周波数の打撃回数に伴う変化の過程を模式的に示すグラフである。
なお、図２の例は、チタン合金製のフェース面１０の板厚が２．４ｍｍ、ヘッドスピード換算で４０ｍ／秒に相当する打撃力を与えた試験条件によるものである。
【００２１】
図２に示すように、本願発明者等は、ゴルフクラブヘッドの１次共振周波数の変化の過程において、１次共振周波数が打撃回数が増加するに伴いわずかに周波数が低下する領域Ｒ1 と、打撃に伴う１次共振周波数の低下が大きくなる領域Ｒ2 と、打撃に伴う１次共振周波数の低下がさらに大きくなる領域Ｒ3 との３つの領域が存在することを見出した。領域Ｒ1 は、疲労破壊により少しずつゴルフクラブヘッドの剛性が低下している状態であると考えられる。領域Ｒ2 は、フェース面の裏面などに亀裂が入り、表面に向けて亀裂が進展している状態であると考えられる。領域Ｒ3 は、亀裂がフェース面にまで達し、亀裂が急激に広がっている状態であると考えられる。このことから、領域Ｒ1 と領域Ｒ2 との境界領域である領域Ａで、フェース面の裏面などに亀裂が入り始めたと考えられる。すなわち、領域Ａがゴルフクラブヘッドの破壊の開始領域と考えられる。また、領域Ｂにおいて、フェース面に亀裂が到達し、目視により亀裂が確認された。
【００２２】
図２に示す例の場合、本願発明者等は、１次共振周波数の値が、初期値（初期状態にあった時の１次共振周波数の値）の９５％未満では、ゴルフクラブヘッド１に亀裂または損傷による欠陥が発生していることを見出している。１次共振周波数の初期値に対する比率が９５％未満の、主に上記領域Ｒ2 では、目視では亀裂および損傷を判別できない。しかし、フェース面１０の内部にはすでに亀裂または損傷が発生していることが予測される。この状態から、２００回程度の打撃回数後目視によりゴルフクラブヘッド１に破壊を確認することができるのは明らかである。このように、１次共振周波数の値が初期値に対して９５％未満では、少なくともゴルフクラブヘッド１の何処かに目視では判別できない亀裂または損傷が発生しており、破壊に至ることは明らかである。このため、初期値を基準値とし、１次共振周波数のこの基準値に対する比率を用いて、目視できない亀裂または損傷等の破壊がゴルフクラブヘッドに発生している旨の評価を行うことができる。なお、１次共振周波数の基準値に対する比率を用いて破壊が発生する旨の評価を行う条件を９５％としたが、本発明ではこれに限定されず、８０％未満、９０％未満、あるいは９７％未満、９９％未満といったように設定してもよく、例えば、ブランド別、商品型式別、またはゴルフクラブの番手、ドライバーもしくはスプーン等の種類別に変えてもよい。
また、本発明で用いるピーク周波数は、フェース面の１次共振周波数に限られず、２次、３次等の高次の共振周波数を用いてもよい。
【００２３】
このように、従来、目視により、フェース面の表面に亀裂または損傷等が発生した時点で破壊を判断していたが、この判断時点よりも前に目視では判別できない亀裂または損傷等の発生を把握することができる。
このような測定は、１回の打撃のたびに、あるいは、複数回、例えば１０回の打撃のたびに、１次共振周波数を測定することで、履歴を求めることができ、ゴルフクラブヘッドの破壊の発生の時期を、打撃回数によって定量的に把握することもできる。
【００２４】
特に、近年、中空のゴルフクラブヘッドで上述の極限設計を行いつつある。このような中空のゴルフクラブヘッドにおいて破壊は、フェース面の打撃点の裏面が起点となり易い。そして、その起点からフェース面の表面に向かって亀裂が進展し、ゴルフクラブヘッド全体の破壊に至る。使用中のゴルフクラブのゴルフクラブヘッドのフェース面の裏面の状態は、ゴルフクラブヘッドを破壊することなく、かつ簡単に観察することができない。このため、従来の目視による方法では、破壊がある程度進展した状態で、破壊と判断せざるを得ない。
【００２５】
また、中空のゴルフクラブヘッドは、フェース面が溶接によりヘッド本体部と接合されている。このため、溶接不良などにより、必ずしもフェース面の打撃点の裏面で破壊が生じるとは限らず、上記溶接による接合部から亀裂または損傷が発生することも多い。
このように、亀裂の発生の起点として、ゴルフクラブヘッドのフェース面のみならずフェース面を取り巻く接合部に注意しなければならない。
【００２６】
本発明の評価方法においては、例えば、１次共振周波数の初期値に対する変化率を求める。しかも、１次共振周波数におけるフェース面の振動形態がフェース面の中心領域で最大の変位となり、接合部等の周辺領域で歪みが最大となるので、従来、目視により確認できなかった位置または大きさの亀裂または損傷による影響が１次共振周波数に反映され易い。そこで、１次共振周波数の打撃回数に伴って大きく変化する開始時期を特定し、亀裂または損傷の発生の時期とすることができる。これにより、ゴルフクラブヘッドの亀裂または損傷の発生を判断することができるので、例えば、予め測定された１次共振周波数の打撃回数に対する履歴特性をブランド別、商品型式別、またはゴルフクラブの番手、種類別に保持しておき、これを参照することで、ゴルフクラブヘッドの完全破壊の時期を定量的に予測することができる。従って、ゴルフクラブヘッドの耐久性を定量的に評価することもできる。
【００２７】
本実施例においては、ゴルフボールによる打撃あるいはこれと同等の打撃を付与した後のゴルフクラブヘッド１のフェース面１０をハンマ２を用いて加振して１次共振周波数を求めた。
しかし、本発明は、これに限定されるものではなく、人または試打ロボットによりフェース面にゴルフボールの打撃を与え、または、エアキャノンを用いてゴルフボールをフェース面に当てて打撃を与え、この打撃時の打撃音から１次共振周波数を測定してもよい。
さらに、ゴルファがゴルフコースを１ラウンド回りゴルフのプレーの前後で１次共振周波数を測定し、これらの結果から現在のゴルフクラブヘッドの亀裂または損傷の発生の有無を判断し評価することもできる。また、例えば、初期状態にあるゴルフクラブヘッドの１次共振周波数をゴルフクラブヘッドまたはゴルフクラブに貼り付けられるシールまたはタグ等のラベルに予め表示しておき、ゴルファがこのゴルフクラブを購入して使用を開始してから所定の期間が経過した後、１次共振周波数を測定できるゴルフクラブ販売店等に持ち込み、所定の期間が経過後のゴルフクラブヘッドの１次共振周波数を測定してもらい、現在のゴルフクラブヘッドに亀裂または損傷が発生していないかを判断することもできる。
【００２８】
また、本実施例においては、打撃音から１次共振周波数を測定したが、これ限定されるものではなく、他の方法によって測定してもよい。例えば、インパクトハンマでゴルフクラブヘッドを叩き、そのときのフェース面の振動の加速度信号を応答信号として測定し、この加速度信号から１次共振周波数を求めてもよい。図３は１次共振周波数の他の測定方法に利用される測定装置を示す模式図である。
【００２９】
図３に示すように、測定装置１００は、ゴルフクラブヘッド１のフェース面１０に加速度ピックアップ２０を貼り付け、インパクトハンマ３０を用いて、フェース面１０にインパクト加振を行う。加速度ピックアップ２０からアンプ２１を介して得られる加速度信号と、インパクト加振の加振力を計測するインパクトハンマ３０を用いてアンプ３１を介して得られる加振力の加振信号とをＦＦＴアナライザ２２に取込み、ＦＦＴアナライザ２２でインパクト加振力に対する加速度信号の関数、すなわち伝達関数を求める。その際、インパクトハンマ３０による加振位置をゴルフクラブヘッド１のフェース面１０上で分散させてインパクト加振を行い、伝達関数を加振位置別に求める。このようにして求められた複数の伝達関数において、加振位置にかかわらずフェース面１０の１次共振周波数の振動モードの形態に起因した同一の位相を持つ急峻なピークが現れる。このピーク位置における周波数を１次共振周波数として取り出す。このように１次共振周波数を測定するようにしてもよい。
【００３０】
また、インパクトハンマの替わりに、加振器を用いてフェース面を加振して振動を与えてもよい。この場合、加振器による加振力に対するフェース面の応答信号である加速度信号の比率、すなわち、加振点における伝達関数を用いてフェース面の１次、２次、・・・等の共振周波数を求めてもよいし、加振器の加速度信号に対するフェース面の応答信号の周波数特性から求められる所定の周波数範囲のピーク周波数を用いてもよい。すなわち、特公平５−３３０７１号公報で開示する方法を用いて周波数特性を求めて所定の周波数範囲のピーク周波数を用いてもよい。この場合、伝達関数のピーク周波数がフェース面の共振周波数である場合と異なり、ピーク周波数がフェース面の共振周波数とはならないが、少なくともピーク周波数はフェース面の共振周波数の変化に追随して変化するので、この変化を用いてゴルフクラブヘッドの耐久性を評価することができる。この場合、ピーク周波数は、６００Ｈｚ〜３０００Ｈｚの周波数範囲とするのがよい。
【００３１】
【発明の効果】
以上、詳細に説明したように、本発明によれば、非破壊で目視できない細かな亀裂または損傷等の破壊の発生の有無を知ることができるので、ゴルフクラブヘッドの破壊を目視により確認できる時点よりも前に、ゴルフクラブヘッドの耐久性を評価することができ、さらには、ゴルフクラブヘッドの寿命を定量的に予測することができる。
【図面の簡単な説明】
【図１】  本発明の実施例に係るゴルフクラブヘッドの評価方法に用いられる測定装置を示す模式図である。
【図２】  １次共振周波数が打撃回数に伴って変化する様子を模式的に示すグラフである。
【図３】  １次共振周波数の他の測定方法に利用される測定装置を示す模式図である。
【符号の説明】
１    ゴルフクラブヘッド
２    ハンマ
３    マイクロフォン
４    騒音計
５    Ａ／Ｄコンバータ
６    パーソナルコンピュータ（パソコン）
１０    フェース面
１１    ゴルフクラブ
２０    加速度ピックアップ
２１、３１  アンプ
２２    ＦＦＴアナライザ
３０    インパクトハンマ
１００  測定装置
【図１】
0004339550.tif 000002
【図２】
0004339550.tif 000003
【図３】
0004339550.tif 000004